(57)【要約】【課題】被洗浄物の見映えを向上可能な又は洗浄時間を短縮可能な仏壇又は仏具の洗浄方法を提供する。【解決手段】仏壇又は仏具を洗浄する洗浄工程（ステップＳ１）と、該洗浄した後の仏壇又は仏具の表面にアクリル系樹脂層を形成する樹脂層形成工程（ステップＳ４）とを含む。【選択図】        図１
2004237191.tif 000002
【特許請求の範囲】
【請求項１】
仏壇又は仏具を洗浄する洗浄工程と、該洗浄した後の仏壇又は仏具の表面にアクリル系樹脂層を形成する樹脂層形成工程とを含む、仏壇又は仏具の洗浄方法。
【請求項２】
前記樹脂層形成工程において、アクリル系樹脂を主成分として含む水性の塗装剤を前記洗浄した後の仏壇又は仏具の表面に塗布し、その後、該塗布した塗装剤を乾燥することにより、前記アクリル系樹脂層を形成する、請求項１記載の仏壇又は仏具の洗浄方法。
【請求項３】
前記洗浄工程において、有機アルカリ及び界面活性剤を主成分として含む水性の洗浄剤を用いて洗浄する、請求項１記載の仏壇又は仏具の洗浄方法。
【請求項４】
前記洗浄工程の後、洗浄剤を水洗する水洗工程を含み、該水洗した仏壇又は仏具に前記樹脂層形成工程を遂行する、請求項３記載の仏壇又は仏具の洗浄方法。
【請求項５】
前記洗浄に用いる洗浄剤が前記アクリル系樹脂層を剥離可能なものである、請求項４記載の仏壇又は仏具の洗浄方法。
【請求項６】
仏壇又は仏具を有機アルカリ及び界面活性剤を主成分として含む水性の洗浄剤を用いて洗浄する、仏壇又は仏具の洗浄方法。
【請求項７】
前記洗浄剤がさらにグリコール系の成分を含む、請求項６記載の仏壇又は仏具の洗浄方法。
【発明の詳細な説明】
【０００１】
【発明の属する技術分野】
本発明は仏壇又は仏具の洗浄方法に関する。
【０００２】
【従来の技術】
従来の仏壇・仏具の洗浄方法として、被洗浄物を洗剤によって泡洗浄し、その被洗浄物に溶剤を付着させて、その溶剤を蒸発させる洗浄方法がある（例えば特許文献１参照）。
【０００３】
【特許文献１】
特開平５−１８５０５１号公報
【０００４】
【発明が解決しようとする課題】
しかし、この従来の仏壇・仏具の洗浄方法では、洗浄によって被洗浄物の光沢がなくなり、かえって見映えがしなくなってしまうという問題があった。また、泡を利用しているため、洗浄に時間がかかるという問題があった。
【０００５】
本発明は、上記のような課題を解決するためになされたもので、被洗浄物の見映えを向上可能な仏壇又は仏具の洗浄方法を提供することを第１の目的としている。
【０００６】
また、本発明は、洗浄時間を短縮可能な仏壇又は仏具の洗浄方法を提供することを第２の目的としている。
【０００７】
【課題を解決するための手段】
上記課題を解決するために、本発明に係る仏壇又は仏具の洗浄方法は、仏壇又は仏具を洗浄する洗浄工程と、該洗浄した後の仏壇又は仏具の表面にアクリル系樹脂層を形成する樹脂層形成工程とを含む（請求項１）。かかる構成とすると、洗浄後の仏壇・仏具の表面がアクリル系樹脂層で覆われているので、見映えが向上する。
【０００８】
前記樹脂層形成工程においては、アクリル系樹脂を主成分として含む水性の塗装剤を前記洗浄した後の仏壇又は仏具の表面に塗布し、その後、該塗布した塗装剤を乾燥することにより、前記アクリル系樹脂層を形成してもよい（請求項２）。かかる構成とすると、アクリル系樹脂層を容易に形成することができる。
【０００９】
また、前記洗浄工程において、有機アルカリ及び界面活性剤を主成分として含む水性の洗浄剤を用いて洗浄してもよい（請求項３）。かかる構成すると、界面活性剤によって油性の汚れを除去するとともに有機アルカリによって酸化物等の強固な汚れを除去することが可能になり、しかも従来例のように泡を用いないので洗浄時間を短縮することができる。
【００１０】
前記洗浄工程の後、洗浄剤を水洗する水洗工程を含み、該水洗した仏壇又は仏具に前記樹脂層形成工程を遂行するのが好ましい（請求項４）。
【００１１】
前記洗浄に用いる洗浄剤は、前記アクリル系樹脂層を剥離可能なものであることが好ましい。かかる構成とすると、本発明の洗浄方法を実施した仏壇・仏具を本発明の洗浄方法によって、再度、好適に洗浄することができる。
【００１２】
また、本発明に係る仏壇又は仏具の洗浄方法は、仏壇又は仏具を有機アルカリ及び界面活性剤を主成分として含む水性の洗浄剤を用いて洗浄する（請求項６）。かかる構成とすると、界面活性剤によって油性の汚れを除去するとともに有機アルカリによって酸化物等の強固な汚れを除去することが可能になり、しかも従来例のように泡を用いないので洗浄時間を短縮することができる。
【００１３】
前記洗浄剤は、さらにグリコール系の成分を含んでもよい（請求項７）。かかる構成とすると、洗浄剤中の有機アルカリと界面活性剤との親和性が向上し、洗浄剤の洗浄効果が向上する。
【００１４】
【発明の実施の形態】
以下、本発明の実施の形態を図面を参照しながら説明する。
実施の形態
図１は本発明の実施の形態に係る仏壇又は仏具の洗浄方法を示すフローチャート、図２は図１の洗浄方法を説明するための図であって、（ａ）は洗浄の状況を示す模式図、（ｂ）は洗浄完了後の被洗浄物を示す模式図である。
【００１５】
図１及び図２を参照して、本実施の形態の洗浄方法では、まず、仏壇又は仏具（以下、被洗浄物という：ここでは位牌である。）１の表面に洗浄剤３を塗布する（ステップＳ１）。洗浄剤３の塗布は、ここでは、ノズルの孔径の小さいスプレイ２を用いて行う。被洗浄物１の入り組んだ洗い難い箇所、重点的に洗浄したい箇所、損傷しやすい箇所等の所望の箇所に所望の量だけ洗浄剤を塗布することができるからである。洗浄剤３は、有機アルカリ、界面活性剤、及びグリコール系を主成分として含む水性の洗浄剤３を用いることが望ましい。有機アルカリとしては、例えばテトラメチルアンモニウム（ＴＭＡＨ）、アンモニア等を用いることができる。ここでは、土井謙産業株式会社（大阪市浪速区幸町３丁目１番３０号）製の商品名「ヒマラヤリムーバー」の洗浄剤（強力濃縮剥離剤）３を用いた。この洗浄剤３を用いることにより、界面活性剤で油性の汚れを除去するとともに有機アルカリで酸化物等の強固な汚れを除去することができるので、短時間で被洗浄物１を洗浄することができる。なお、洗浄剤３は被洗浄物１の汚れ５の程度に応じて濃度を適宜調整する必要がある。また、ここで用いた洗浄剤３は、後述する塗装剤によって形成されたアクリル系樹脂層を剥離することができる。
【００１６】
次いで、被洗浄物１に、スプレイで水を吹き付けて洗浄剤を洗い流す（ステップＳ２）。このように、スプレイを用いると手早く水洗することができる。この場合、被洗浄物１の上部の方から水洗するようにする。下部から水洗すると、上部を洗った水が流下して下部を再度洗浄することが必要になり、二度手間になるからである。
【００１７】
次いで、被洗浄物１を乾燥する（ステップＳ３）。ここでは、被洗浄物１にドライヤで熱風を吹き付けることによって乾燥した。このように、ドライヤを用いると、迅速に乾燥することができる。
【００１８】
次いで、被洗浄物１の表面に塗装剤を塗布する（ステップＳ４）。塗装剤としては、アクリル系樹脂を主成分として含む水性の塗装剤が好ましい。塗装及び乾燥することにより容易にアクリル系樹脂層を形成できるからである。また、塗装剤が水性であると乾燥が容易で環境汚染の恐れが少ない。ここでは、土井謙産業株式会社（大阪市浪速区幸町３丁目１番３０号）製の商品名「ヒマラヤユート」の塗装剤（樹脂ワックス）を用いた。この塗装剤は、ワックス成分としてアクリル樹脂を含むものである。また、塗装はスプレイを用いて行った。塗膜の厚みは１ｍｍ以上２ｍｍ以下とするのが好ましい。
【００１９】
次いで、被洗浄物１を乾燥する（ステップＳ５）。ここでは、被洗浄物１にドライヤで熱風を吹き付けることによって乾燥した。自然乾燥でも構わないが、ドライヤを用いると迅速に乾燥することができる。
【００２０】
これにより、被洗浄物１の洗浄が完了する。このようにして洗浄された被洗浄物１は表面をアクリル系樹脂層で覆われているので、図２（ｂ）に示すように、光沢に富み、見映えがするものとなる。また、アクリル系樹脂層は硬くて耐候性に優れるので、被洗浄物１が汚れ難くなる。また、本実施の形態では、水性の洗浄剤を用いてそれを水洗するので、洗浄時間を従来例に比べて短縮することができる。また、洗浄剤３として、洗浄後の被洗浄物１の表面に形成されるアクリル系樹脂層を剥離可能なものを用いるので、本実施の形態の洗浄方法で洗浄した仏壇・仏具１を再度好適に洗浄することができる。
【００２１】
なお、上記の説明では、水性の洗浄剤を用い、塗布された洗浄剤を水洗するようにしたが、これ以外の洗浄剤を用いても構わない。塗布後洗浄剤を洗い流すことが不要であれば、これを省略しても構わない。
【００２２】
【発明の効果】
本発明は、以上に説明したような形態で実施され、被洗浄物の見映えを向上可能であるという効果又は洗浄時間を短縮可能であるという効果を奏する。
【図面の簡単な説明】
【図１】本発明の実施の形態に係る仏壇又は仏具の洗浄方法を示すフローチャートである。
【図２】図１の洗浄方法を説明するための図であって、（ａ）は洗浄の状況を示す模式図、（ｂ）は洗浄完了後の被洗浄物を示す模式図である。
【符号の説明】
１  仏壇・仏具
２  スプレイ
３  洗浄剤
５  汚れ
【図１】
2004237191.tif 000003
【図２】
2004237191.tif 000004